(57)【要約】【課題】手間を掛けることなく新たな物品を保持可能な物品保持装置および開き戸を提供すること。【解決手段】物品保持装置３０を、雑誌９１の下面を支持する基部材３１と、雑誌９１を挟んで樹脂パネル２１と対向可能な正面バー３５と、基部材３１および正面バー３５を回動可能に支持する回動可能支持部３７とで構成している。このため、基部材３１の下端支持部３２を背面回動規制部１７に当接させることで雑誌９１を収納できる状態から物品保持装置３０を回動させて下側正面部３３を正面回動規制部１６に当接させることで、タオル９２を掛けることができる状態にすることができ、手間をかけることなく新しい物品を保持させることができる。【選択図】図３
2010031469.tif 000002
【特許請求の範囲】
【請求項１】
枠体と、この枠体の内部に支持される面材とを備えた建具に取り付けられて前記面材の一面側で物品を保持する物品保持装置であって、
前記物品の下端を支持する下端支持部と、
前記物品を挟んで前記面材と略対向可能に設けられた対向支持部と、
この対向支持部を前記面材の見付け面に略平行な回転軸を中心にして回動自在にまたは前記面材の見込み方向にスライド自在に支持する動作可能支持部と、を備え、
前記対向支持部が前記物品を挟んで前記面材と略対向する位置するときに第１の前記物品を保持し、前記対向支持部が前記略対向する位置から前記面材に対して離れる方向に回動したときにまたはスライドしたときに第２の前記物品を保持する物品保持装置。
【請求項２】
前記対向支持部は、略棒状に形成されており、
前記動作可能支持部は、前記対向支持部を前記回動自在に支持し、
前記対向支持部の軸方向が前記見付け面と略平行かつ前記略対向する位置のときに前記対向支持部と前記下端支持部とで前記第１の物品を支持し、前記対向支持部が前記回動したときに前記対向支持部に前記第２の物品が掛けられる請求項１に記載の物品保持装置。
【請求項３】
前記下端支持部の下方には、第３の前記物品が掛けられる物品掛け部が設けられており、
前記動作可能支持部は、前記対向支持部を前記スライド自在に支持し、
前記対向支持部が前記略対向する位置のときに前記対向支持部と前記下端支持部とで前記第１の物品を支持し、前記対向支持部が前記スライドしたときに前記対向支持部と前記下端支持部とで前記第２の物品を支持する請求項１または請求項２に記載の物品保持装置。
【請求項４】
枠体と、この枠体の内部に支持される面材と、請求項１から請求項３のいずれかに記載の物品保持装置とを備えている建具。
【請求項５】
前記枠体の内周面と前記面材の一面とは、前記面材の一面側に開口する凹部を形成し、
前記物品保持装置は、前記第１の物品を保持するときに全体が前記凹部内に位置する形状に形成されている請求項４に記載の建具。
【発明の詳細な説明】
【技術分野】
【０００１】
本発明は、物品保持装置および建具に関する。
【背景技術】
【０００２】
従来、物品を収納あるいは吊り下げる機能を有する建具が知られている（例えば、特許文献１〜３参照）。
特許文献１に記載のすべり戸は、枠材の少なくとも一部に形成された孔に棚や横木の係止材を係止させて棚に物品を載せたり横木に物品を吊り下げたりすることができるようになっている。
特許文献２に記載の収納部付きドアは、ドアの外枠に縦桟と横桟とが格子状に設けられたハンガからなる収納部を備え、縦桟や横桟にフックやフック付き収納具を引っ掛けることで、物品を吊り下げたり収納したりすることができるようになっている。
特許文献３に記載の収納建具は、建具の厚みと外に出る部分を足した厚みの棚箱を取り付け手棚箱に物品を収納することができるようになっている。
【０００３】
【特許文献１】実開昭５５−３５１３９号公報
【特許文献２】特開平７−３２４５６３号公報
【特許文献３】特開２００５−９２８３号公報
【発明の開示】
【発明が解決しようとする課題】
【０００４】
しかしながら、特許文献１〜３に記載のような建具では、形状や材質が異なる新たな物品を収納したりあるいは吊り下げたりしたい場合に、新たに他のパーツを取り付ける必要があり、その手間が煩わしいという問題がある。
本発明の目的は、手間をかけることなく新たな物品を保持可能にする物品保持装置および建具を提供することにある。
【課題を解決するための手段】
【０００５】
本発明の物品保持装置は、枠体と、この枠体の内部に支持される面材とを備えた建具に取り付けられて前記面材の一面側で物品を保持する物品保持装置であって、前記物品の下端を支持する下端支持部と、前記物品を挟んで前記面材と略対向可能に設けられた対向支持部と、この対向支持部を前記面材の見付け面に略平行な回転軸を中心にして回動自在にまたは前記面材の見込み方向にスライド自在に支持する動作可能支持部と、を備え、前記対向支持部が前記物品を挟んで前記面材と略対向する位置するときに第１の前記物品を保持し、前記対向支持部が前記略対向する位置から前記面材に対して離れる方向に回動したときにまたはスライドしたときに第２の前記物品を保持することを特徴とする。
ここで、物品を保持するとは、物品が収納される、支持される、掛けられる、吊り下げられる、載置されることなどで保持することを意味している。また、物品保持装置で保持する物品としては、雑誌、箱、タオル、小物などが例示できる。さらに、対向支持部を回動させる場合の回動軸の軸方向は、左右方向、上下方向、斜め方向のいずれであってもよい。
この発明によれば、対向支持部を第１の物品を保持可能な状態から回動あるいはスライドさせることで第２の物品を保持可能な状態にすることができ、手間をかけることなく新たな物品を保持可能な物品保持装置を提供できる。
本発明の物品保持装置では、前記対向支持部は、略棒状に形成されており、前記動作可能支持部は、前記対向支持部を前記回動自在に支持し、前記対向支持部の軸方向が前記見付け面と略平行かつ前記略対向する位置のときに前記対向支持部と前記下端支持部とで前記第１の物品を支持し、前記対向支持部が前記回動したときに前記対向支持部に前記第２の物品が掛けられる構成が好ましい。
この発明によれば、第１の物品としての雑誌を支持できるとともに、第２の物品としてのタオルを掛けることができ、浴室、台所、洗面所などに配置することができる。
本発明の物品保持装置では、前記下端支持部の下方には、第３の前記物品が掛けられる物品掛け部が設けられており、前記動作可能支持部は、前記対向支持部を前記スライド自在に支持し、前記対向支持部が前記略対向する位置のときに前記対向支持部と前記下端支持部とで前記第１の物品を支持し、前記対向支持部が前記スライドしたときに前記対向支持部と前記下端支持部とで前記第２の物品を支持する構成が好ましい。
この発明によれば、対向支持部をスライドさせることで第１の物品としての雑誌とこの雑誌よりも見込み寸法が大きい第２の物品としての箱を支持できるとともに、第３の物品としてのタオルを掛けることができ、浴室、台所、洗面所などに配置することができる。さらに、見込み寸法が異なる物品を支持でき、利便性を向上させることができる。
【０００６】
本発明の建具は、枠体と、この枠体の内部に支持される面材と、上述の物品保持装置とを備えていることを特徴とする。
この発明によれば、上述の物品保持装置と同様の作用効果を有する建具を提供できる。
本発明の建具では、前記枠体の内周面と前記面材の一面とは、前記面材の一面側に開口する凹部を形成し、前記物品保持装置は、前記第１の物品を保持するときに全体が前記凹部内に位置する形状に形成されている構成が好ましい。
この発明によれば、第１の物品を保持している状態において物品保持装置が枠体の見付け面から飛び出していないため、見た目をすっきりさせることができ、通行の妨げとなることもない。
【発明を実施するための最良の形態】
【０００７】
以下、本発明の第１実施形態を図面に基づいて説明する。
図１は、第１実施形態に係る建具である浴室出入り口用の開き戸１を示す横断面図である。図２は、障子１０への物品保持装置３０の取り付け状態を示す脱衣室側からの見下げの斜視図である。
図１において、開き戸１は、浴室ユニットなどで構成された浴室と、この浴室に隣接する脱衣室との出入り口に用いられる建具である。この開き戸１は、図示しない上枠、下枠３および左右の縦枠４，５を枠組みした建具枠６と、この建具枠６内部に浴室側に開閉可能に支持された１枚の障子１０とを備えて構成されている。建具枠６の上枠、下枠３および縦枠４，５は、それぞれ脱衣室の天井材や床材、額縁材Ｇ等に固定されている。一方、障子１０は、図１および図２に示すように、上框１１、下框１２および左右の縦框１３，１４を四周框組みした枠体としての障子枠１５に、樹脂パネル２１を嵌めこんで構成されている。そして、障子１０は、一方（図１の左側）の縦框１３側（吊り元側）が建具枠６に回動自在に支持されており、他方（図１の右側）の縦框１４（戸先框）には、障子１０を開閉操作するためのハンドル２６が固定されている。
また、障子１０の上框１１、下框１２および左右の縦框１３，１４は、それぞれ中空断面を有したアルミ形材製であり、枠体における上下左右の枠材を構成するものである。左右の縦框１３，１４の上下方向略中央における互いに対向する面には、脱衣室側の端部から互いに近づく方向に突出する正面回動規制部１６と、この正面回動規制部１６と略等しい高さ位置かつ樹脂パネル２１近傍において互いに近づく方向に突出する背面回動規制部１７と、正面回動規制部１６よりも上方かつ浴室側に開口形成された図示しない軸挿通孔と、が設けられている。
樹脂パネル２１は、半透明の樹脂製板材からなり、面材を構成するものである。この樹脂パネル２１は、障子枠１５に対して浴室側に偏った位置に支持され、障子１０の浴室側の側面が全体略フラットに形成されるようになっている。つまり、障子枠１５の内周面１８と樹脂パネル２１の脱衣室側面２２とは、脱衣室側に開口する凹部２４を形成している。そして、この凹部２４内には、第１の物品としての雑誌９１（図３（Ａ）参照）を収納したり、第２の物品としてのタオル９２（図３（Ｂ）参照）が掛けられる物品保持装置３０が取り付けられている。
【０００８】
次に、図３も参照して物品保持装置３０の詳細な構成について説明する。図３（Ａ）は、雑誌９１を収納しているときの物品保持装置３０を示す縦断面図であり、図３（Ｂ）は、タオル９２が掛けられているときの物品保持装置３０を示す縦断面図である。
物品保持装置３０は、図１〜図３に示すように、基部材３１と、対向支持部としての丸棒状の３本の正面バー３５と、動作可能支持部としての回動可能支持部３７とを備えている。
基部材３１は、面方向が互いに略直交するそれぞれ略長方形板状の下端支持部３２と下側正面部３３とにより断面略Ｌ字状に形成されている。下端支持部３２は、雑誌９１の下面を支持する。下側正面部３３は、雑誌９１の下側が脱衣室側に位置ずれしたときの落下を防止する。
３本の正面バー３５は、下側正面部３３の面方向に沿って並んでかつ互いに略平行となるように設けられる。
回動可能支持部３７は、長方形板状に形成された２個の側方支持部材３８を備えている。この側方支持部材３８の短手方向の寸法Ｌ１は、凹部２４の深さ方向（樹脂パネル２１の見込み方向）の寸法Ｌ２よりも小さく設定されている。そして、２個の側方支持部材３８は、一面同士が互いに対向する状態で設けられ、その対向する面に基部材３１と正面バー３５の端部がそれぞれ固定されている。ここで、基部材３１と正面バー３５とを側方支持部材３８に固定する方法としては、嵌め込み、接着、溶着などが例示できる。また、側方支持部材３８における基部材３１などの取付面と反対側の面には、この面と略直交する方向に突出する丸棒状の回動軸３９がそれぞれ設けられている。この回動軸３９は、下端支持部３２と下側正面部３３のとの交差部分に対応する位置に設けられている。
そして、回動軸３９が障子枠１５の軸挿通孔に挿通されることで、基部材３１および正面バー３５は、回動可能支持部３７により回動可能に支持される。
【０００９】
次に、物品保持装置３０の動作について説明する。
まず、図３（Ａ）に示すように、物品保持装置３０に雑誌９１を収納する場合、下端支持部３２が背面回動規制部１７に当接するまで基部材３１および正面バー３５を回動させる。このとき、側方支持部材３８の寸法Ｌ１が凹部２４の深さ寸法Ｌ２よりも小さいため、物品保持装置３０全体が凹部２４内に位置して物品保持装置３０が障子枠１５の見付け面１９から飛び出さない。そして、樹脂パネル２１と物品保持装置３０とで収納空間５０が略区画形成されて、この収納空間５０に雑誌９１を収納することが可能となる。
また、図３（Ｂ）に示すように、物品保持装置３０にタオル９２を掛ける場合、下側正面部３３が正面回動規制部１６に当接するまで基部材３１および正面バー３５を約９０°回動させる。このとき、正面バー３５が樹脂パネル２１の見込み方向に並ぶ状態となり、それぞれの正面バー３５にタオル９２を掛けることが可能になる。
【００１０】
このような第１実施形態によれば、以下のような効果がある。
（１）物品保持装置３０を、雑誌９１の下面を支持する基部材３１と、雑誌９１を挟んで樹脂パネル２１と対向可能な正面バー３５と、基部材３１および正面バー３５を回動可能に支持する回動可能支持部３７とで構成している。このため、基部材３１の下端支持部３２を背面回動規制部１７に当接させた雑誌９１を収納できる状態から基部材３１および正面バー３５を回動させて下側正面部３３を正面回動規制部１６に当接させることで、タオル９２を掛けることができる状態にすることができ、手間をかけることなく新しい物品を保持させることができる。
（２）物品保持装置３０にタオル９２を掛けることができる構成としているため、タオル９２を必要とする浴室に配置できる。
（３）物品保持装置３０を雑誌９１が収納可能な状態にしたときに、物品保持装置３０全体が凹部２４内に位置する構成としているため、雑誌９１を収納している状態において物品保持装置３０が障子枠１５の見付け面１９から飛び出さず、見た目をすっきりさせることができ、進行の妨げとなることもない。
【００１１】
次に、本発明の第２実施形態について説明する。
図４は、障子１０への物品保持装置６０の取り付け状態を示す浴室側からの見下げの斜視図である。図５（Ａ）は、雑誌９１を収納しているときの物品保持装置６０を示す縦断面図であり、図５（Ｂ）は、箱９３を収納しているときの物品保持装置６０を示す縦断面図である。
図４および図５に示すように、物品保持装置６０は、図１に示すような開き戸１の障子１０に取り付けられており、雑誌９１や、この雑誌９１よりも見込み方向寸法が大きい第２の物品としての箱９３を収納したり、タオル９２が掛けられたりする。この物品保持装置６０は、雑誌９１や箱９３を収納する収納部６１と、タオル９２が掛けられる物品掛け部としてのタオル掛けバー７０とを備えている。
収納部６１は、基部材３１と、この基部材３１の下側正面部３３の面方向に沿って並んでかつ互いに略平行となるように設けられる２本の正面バー３５と、動作可能支持部としてのスライド可能支持部６２と、とを備えている。
スライド可能支持部６２は、短手方向の寸法Ｌ３が凹部２４の深さ寸法Ｌ２よりも小さい長方形板状の２個の側方支持部材６３と、下側支持部材６４と、スライド部６５とを備えている。２個の側方支持部材６３の間には、第１実施形態の側方支持部材３８と同様に、基部材３１と正面バー３５の端部がそれぞれ固定されている。下側支持部材６４は、長方形板状に形成され、長手方向の両端が縦框１３，１４にそれぞれ固定されている。スライド部６５は、断面略Ｔ字状の２個のガイドレール６６と、ガイドレール６６に対応する断面略Ｔ字状の溝部を有する２個の摺接保持部６７とを備えている。２個のガイドレール６６は、その長手方向が障子１０の見込み方向と略一致するように、かつ、下端支持部３２の下面における長手方向の両端側にそれぞれ設けられている。２個の摺接保持部６７は、下側支持部材６４の上面における長手方向の両端側に設けられている。また、摺接保持部６７には、ガイドレール６６が浴室側に抜けないようにするための浴室側抜け止め６８と、ガイドレール６６が脱衣室側に抜けないようにするための図示しない脱衣室側抜け止めとが設けられている。
そして、ガイドレール６６が摺接保持部６７の溝部に嵌め込まれることで、基部材３１および正面バー３５は、スライド可能支持部６２により見込み方向にスライド可能に支持される。
タオル掛けバー７０は、丸棒状に形成され、その両端が縦框１３，１４における脱衣室側にそれぞれ固定されている。
【００１２】
次に、物品保持装置６０の動作について説明する。
まず、図５（Ａ）に示すように、物品保持装置６０に雑誌９１を収納する場合、ガイドレール６６が浴室側抜け止め部６８に当接するまで基部材３１および正面バー３５を浴室側にスライドさせる。このとき、側方支持部材６３の寸法Ｌ３が凹部２４の深さ寸法Ｌ２よりも小さいため、収納部６１全体が凹部２４内に位置して物品保持装置６０が障子枠１５の見付け面１９から飛び出さない。そして、樹脂パネル２１と収納部６１とで雑誌９１を収納可能な収納空間５０が略区画形成される。また、タオル掛けバー７０には、基部材３１および正面バー３５のスライド状態によらず、常時タオル９２を掛けることができる。
また、図５（Ｂ）に示すように、物品保持装置６０に箱９３を収納する場合、ガイドレール６６が脱衣室側抜け止め部に当接するまで基部材３１および正面バー３５を脱衣室側にスライドさせることで、樹脂パネル２１と収納部６１とで収納空間５０よりも見込み方向寸法が大きく箱９３を収納可能な収納空間５１が略区画形成される。
【００１３】
このような第２実施形態によれば、第１実施形態の（３）と同様の効果に加えて以下のような効果がある。
（４）物品保持装置６０の収納部６１を、雑誌９１や箱９３の下面を支持する基部材３１と、雑誌９１や箱９３を挟んで樹脂パネル２１と対向可能な正面バー３５と、基部材３１および正面バー３５をスライド可能に支持するスライド可能支持部６２とで構成している。このため、ガイドレール６６を浴室側抜け止め部６８に当接させた雑誌９１を収納できる状態から基部材３１および正面バー３５をスライドさせてガイドレール６６を脱衣室側抜け止め部に当接させることで、雑誌９１よりも見込み方向寸法が大きい箱９３を収納できる状態にすることができ、手間をかけることなく新しい物品を収納させることができる。また、タオル掛けバー７０を設けているため、タオル９２を必要とする浴室に配置できる。
【００１４】
なお、本発明は、前記一実施形態に限定されるものではなく、本発明の目的を達成できる他の構成等を含み、以下に示すような変形等も本発明に含まれる。
例えば、物品保持装置３０，６０自体や、物品保持装置３０，６０を構成する下端支持部３２を樹脂パネル２１に直接取り付けてもよい。また、物品保持装置６０にタオル掛けバー７０を設けなくてもよい。さらに、物品保持装置６０の基部材３１および正面バー３５を第１実施形態のように回動可能にしてもよい。
【００１５】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００１６】
【図１】本発明の第１実施形態に係る建具を示す横断面図である。
【図２】前記建具の障子への物品保持装置の取り付け状態を示す脱衣室側からの見下げの斜視図である。
【図３】前記物品保持装置を示す縦断面図である。
【図４】本発明の第２実施形態に係る障子への物品保持装置の取り付け状態を示す浴室側からの見下げの斜視図である。
【図５】前記物品保持装置を示す縦断面図である。
【符号の説明】
【００１７】
１…開き戸（建具）、１５…障子枠（枠体）、２１…樹脂パネル（面材）、２４…凹部、３０，６０…物品保持装置、３２…下端支持部、３５…正面バー（対向支持部）、３７…回動可能支持部（動作可能支持部）、６２…スライド可能支持部（動作可能支持部）、７０…タオル掛けバー（物品掛け部）、９１…雑誌（物品）、９２…タオル（物品）、９３…箱（物品）。
【図１】
2010031469.tif 000003
【図２】
2010031469.tif 000004
【図３】
2010031469.tif 000005
【図４】
2010031469.tif 000006
【図５】
2010031469.tif 000007